(57)【要約】【課題】直流電源回路の出力電圧を低下させた場合でも安定した点灯を継続することができる放電灯点灯装置及び照明器具を提供する。【解決手段】負荷回路の高圧放電灯１７を始動する際、充放電回路の充電電圧が２端子サイリスタ２１を導通させる電圧値となるように、昇圧チョッパ回路５の出力電圧を上昇させ、高圧放電灯１７が点灯した後、充電電圧が２端子サイリスタ２１を非導通にさせる電圧値となるように、昇圧チョッパ回路５の出力電圧を一定時間かけて低下させるものである。【選択図】図１
2010165631.tif 000002
【特許請求の範囲】
【請求項１】
放電灯が取り付けられる負荷回路と、
商用電源を整流する整流回路と、
該整流回路の出力電圧を所望の直流電圧に変換する昇圧チョッパ回路と、
該昇圧チョッパ回路からの直流電圧を交流電圧に変換し、前記負荷回路に供給するインバータ回路と、
前記負荷回路に２次巻線が挿入された昇圧トランス、該昇圧トランスの１次巻線側に接続された２端子サイリスタ、及び前記昇圧チョッパ回路の出力間に設けられた充放電回路を有し、前記充放電回路の充電電圧が上昇して前記２端子サイリスタが導通したとき、前記昇圧トランスの２次巻線に高電圧パルスを発生させる始動回路と、
少なくとも前記昇圧チョッパ回路を制御する制御手段と
を備え、
前記制御手段は、
前記負荷回路の放電灯を始動する際、前記充放電回路の充電電圧が前記２端子サイリスタを導通させる電圧値となるように、前記昇圧チョッパ回路の出力電圧を上昇させ、
前記放電灯が点灯した後、前記充電電圧が前記２端子サイリスタを非導通にさせる電圧値となるように、前記昇圧チョッパ回路の出力電圧を一定時間かけて低下させることを特徴とする放電灯点灯装置。
【請求項２】
前記制御手段は、
前記放電灯が点灯した後、前記充電電圧が前記２端子サイリスタを非導通にさせる電圧値となるように、前記昇圧チョッパ回路の出力電圧を段階的に低下させることを特徴とする請求項１記載の放電灯点灯装置。
【請求項３】
前記制御手段は、
前記昇圧チョッパ回路の出力電圧を検出し、検出した出力電圧に基づいて前記昇圧チョッパ回路の出力電圧を制御する電圧フィードバック制御を行い、
前記放電灯が点灯した後、前記電圧フィードバック制御の応答速度を遅くし、
前記充電電圧が前記２端子サイリスタを非導通にさせる電圧値となるように、前記昇圧チョッパ回路の出力電圧を一定時間かけて低下させることを特徴とする請求項１記載の放電灯点灯装置。
【請求項４】
前記放電灯に印加される電圧を検出する電圧検出手段と、
前記放電灯に流れる電流を検出する電流検出手段と
を備え、
前記制御手段は、
前記インバータ回路を制御して、前記放電灯に供給される交流電力の定電力フィードバック制御を行い、
前記昇圧チョッパ回路の出力電圧を低下させる際には、
前記放電灯に供給される交流電力の定電力フィードバック制御に用いる電流の目標値を、通常の定電力フィードバック制御時よりも高くすることを特徴とする請求項１〜３の何れかに記載の放電灯点灯装置。
【請求項５】
請求項１〜４の何れかに記載の放電灯点灯装置を備えたことを特徴とする照明器具。
【発明の詳細な説明】
【技術分野】
【０００１】
この発明は、放電灯点灯装置及びこれを備えた照明器具に関するものである。
【背景技術】
【０００２】
従来の放電灯点灯装置は、例えば「負荷回路の高圧放電灯を始動する際、前記充放電回路の充電電圧が前記２端子サイリスタを導通させる電圧値となるように、前記高圧放電灯が点灯した後は、前記充電電圧が前記２端子サイリスタを非導通させる電圧値となるように、前記直流電源回路を制御する」ものが提案されている（例えば、特許文献１参照）。
【先行技術文献】
【特許文献】
【０００３】
【特許文献１】特開２００７−２００７９３号公報（請求項１）
【発明の概要】
【発明が解決しようとする課題】
【０００４】
従来の放電灯点灯装置は、直流電源回路の両出力端子間に、充電抵抗及びダイオードを直列に介して充放電コンデンサが接続され、前記充放電コンデンサと並列に昇圧トランスの１次巻線側とサイダック等の２端子サイリスタが直列に接続されたイグナイタ始動回路を備えている。放電灯を始動する際は、直流電源回路の出力電圧を２端子サイリスタのブレークオーバー電圧を超える値に設定して高圧パルスを発生させる。そして、放電灯が点灯した際には、直流電源回路の出力電圧を２端子サイリスタのブレークオーバー電圧より低い電圧まで下げることで、高圧パルスを確実に停止している。
【０００５】
しかしながら、上記のような直流電源回路（昇圧チョッパ回路）の出力電圧の制御においては、直流電源回路の出力電圧は、２端子サイリスタのブレークオーバー電圧のばらつき範囲を超える電圧値に設定する必要があるため、ブレークオーバー電圧のばらつきが大きい場合は直流電源回路の出力電圧の変動が大きくなり、放電灯が点灯した際に放電灯へ供給される電圧降下も大きくなることから、放電灯が立ち消える可能性がある、という問題点があった。
【０００６】
この発明は、上記のような課題を解決するためになされたもので、直流電源回路（昇圧チョッパ回路）の出力電圧を低下させた場合でも安定した点灯を継続することができる放電灯点灯装置及び照明器具を提供することである。
【課題を解決するための手段】
【０００７】
この発明に係る放電灯点灯装置は、放電灯が取り付けられる負荷回路と、商用電源を整流する整流回路と、該整流回路の出力電圧を所望の直流電圧に変換する昇圧チョッパ回路と、該昇圧チョッパ回路からの直流電圧を交流電圧に変換し、前記負荷回路に供給するインバータ回路と、前記負荷回路に２次巻線が挿入された昇圧トランス、該昇圧トランスの１次巻線側に接続された２端子サイリスタ、及び前記昇圧チョッパ回路の出力間に設けられた充放電回路を有し、前記充放電回路の充電電圧が上昇して前記２端子サイリスタが導通したとき、前記昇圧トランスの２次巻線に高電圧パルスを発生させる始動回路と、少なくとも前記昇圧チョッパ回路を制御する制御手段とを備え、前記制御手段は、前記負荷回路の放電灯を始動する際、前記充放電回路の充電電圧が前記２端子サイリスタを導通させる電圧値となるように、前記昇圧チョッパ回路の出力電圧を上昇させ、前記放電灯が点灯した後、前記充電電圧が前記２端子サイリスタを非導通にさせる電圧値となるように、前記昇圧チョッパ回路の出力電圧を一定時間かけて低下させるものである。
【発明の効果】
【０００８】
この発明は、放電灯が点灯した後、充電電圧が２端子サイリスタを非導通にさせる電圧値となるように、昇圧チョッパ回路の出力電圧を一定時間かけて低下させるので、昇圧チョッパ回路の出力電圧を低下させた場合でも安定した点灯を継続することができる。
【図面の簡単な説明】
【０００９】
【図１】実施の形態１に係る放電灯点灯装置の構成を示す回路図である。
【図２】実施の形態１に係る昇圧チョッパ回路の出力電圧波形を示す図である。
【図３】実施の形態１に係る制御回路の動作を示すフローチャートである。
【図４】実施の形態２に係る昇圧チョッパ回路の出力電圧波形を示す図である。
【図５】実施の形態２に係る制御回路の動作を示すフローチャートである。
【図６】実施の形態３に係る高圧放電灯の電圧と電流の関係を示す図である。
【図７】実施の形態３に係る制御回路の動作を示すフローチャートである。
【図８】実施の形態４に係る照明器具の構成を示す図である。
【発明を実施するための形態】
【００１０】
実施の形態１．
図１は実施の形態１に係る放電灯点灯装置の構成を示す回路図である。
図１において、本実施の形態の放電灯点灯装置は、直流電源回路１と、ハーフブリッジ型のインバータ回路と、負荷回路と、イグナイタ始動回路と、制御回路２２とを備えている。
【００１１】
直流電源回路１は、例えば、商用電源などの交流電源２の交流電力を直流電力に整流する整流回路３と、この整流回路３の両出力端子間に接続されたコンデンサ４と、整流回路３の両出力端子間に接続される昇圧チョッパ回路５とにより構成される。
【００１２】
昇圧チョッパ回路５は、整流回路３の出力端子にインダクタ６を介してスイッチング素子７を並列に接続するとともに、ダイオード８を順極性に介してインバータ回路に接続される。
この昇圧チョッパ回路５は、制御回路２２によりスイッチング素子７が高周波でオン・オフ制御されることにより、整流回路３の出力電圧を所望の直流電圧に変換する。
【００１３】
インバータ回路は、昇圧チョッパ回路５の出力間に接続された第１の電解コンデンサ９及び第２の電解コンデンサ１０の直列回路と、この第１の電解コンデンサ９及び第２の電解コンデンサ１０の直列回路に、並列に接続された、第１のスイッチング素子１１及び第２のスイッチング素子１２の直列回路とから構成されている。
このインバータ回路は、昇圧チョッパ回路５からの直流電圧を交流電圧に変換し、負荷回路に供給する。
【００１４】
負荷回路は、インダクタ１３と、コンデンサ１４と、コンデンサ１５とにより構成されている。この負荷回路には、高圧放電灯１７が取り付けられる。
【００１５】
インダクタ１３及びコンデンサ１４は、第１のスイッチング素子１１及び第２のスイッチング素子１２の接続点と、第１の電解コンデンサ９及び第２の電解コンデンサ１０の接続点との間に、直列に接続される。
【００１６】
コンデンサ１５は、インダクタ１３及びコンデンサ１４の接続点とグランドとの間に接続される。
【００１７】
高圧放電灯１７は、後述する昇圧トランス１６の２次巻線と直列に接続され、コンデンサ１４と並列に接続される。
この高圧放電灯１７は、例えばＨＩＤランプ（高圧水銀ランプ）、高圧ナトリウムランプ、メタルハライドランプ等が用いられる。
尚、高圧放電灯１７は、本発明における放電灯に相当する。
【００１８】
イグナイタ始動回路は、充放電回路と、昇圧トランス１６と、２端子サイリスタ２１とにより構成される。
【００１９】
充放電回路は、充電抵抗１８と、ダイオード１９と、充放電コンデンサ２０とにより構成される。
充電抵抗１８、ダイオード１９及び充放電コンデンサ２０は直列に接続され、昇圧チョッパ回路５の両出力端子間に接続される。
【００２０】
昇圧トランス１６は、２次巻線が、負荷回路のインダクタ１３及びコンデンサ１４の接続点と高圧放電灯１７との間に挿入される。また、１次巻線の一端が、充放電回路のダイオード１９及び充放電コンデンサ２０の接続点に接続され、他端が２端子サイリスタ２１と接続される。
【００２１】
２端子サイリスタ２１は、昇圧トランス１６の１次巻線と直列に接続される。この２端子サイリスタ２１は、例えばサイダック等により構成される。
２端子サイリスタ２１及び昇圧トランス１６の１次巻線は、充放電コンデンサ２０と並列に接続される。
【００２２】
このイグナイタ始動回路は、充放電回路の充電電圧が上昇して２端子サイリスタ２１が導通したとき、昇圧トランス１６の２次巻線に高電圧パルスを発生させる。
尚、イグナイタ始動回路は、本発明における始動回路に相当する。
【００２３】
制御回路２２は、昇圧チョッパ回路５及びインバータ回路を制御するものである。
この制御回路２２は、高圧放電灯１７の電圧を検出する電圧検出手段（図示せず）、及び電流を検出する電流検出手段（図示せず）を有している。そして、検出した電圧及び電流に応じて、インバータ回路のスイッチング素子１１及び１２を高周波でオン・オフ制御させることによる高圧放電灯１７の電力調整を行う。
【００２４】
また、制御回路２２は、昇圧チョッパ回路５の出力電圧を検出する手段（図示せず）を有している。そして、検出した出力電圧に応じて、昇圧チョッパ回路５のスイッチング素子７を高周波でオン・オフ制御させることにより、昇圧チョッパ回路５の出力電圧を調整する。
このように、制御回路２２は、検出した出力電圧に基づいて昇圧チョッパ回路５の出力電圧を制御する電圧フィードバック制御を行う。
【００２５】
さらに、制御回路２２は、記憶装置を有しており、後述する電圧値の情報が格納される。
尚、制御回路２２は、本発明における制御手段に相当する。
【００２６】
以上、放電灯点灯装置の構成について説明した。
次に、放電灯始動時の制御と、高圧放電灯１７の立ち消えの可能性について説明する。
【００２７】
制御回路２２は、高圧放電灯１７を始動する際、第１のスイッチング素子１１及び第２のスイッチング素子１２に制御信号を供給する。
この第１のスイッチング素子１１及び第２のスイッチング素子１２の制御方式は、例えば、予め設定された第１の期間においては、第１のスイッチング素子１１を高周波でオン・オフ動作させ、第２のスイッチング素子１２をオフにさせる。
次いで、第２の期間においては、第２のスイッチング素子１２を高周波でオン・オフ動作させ、第１のスイッチング素子１１をオフにさせる。この第１の期間と第２の期間とを低周波で交互に切り替える。
【００２８】
そして、制御回路２２は、充放電回路の充電電圧が２端子サイリスタ２１を導通させる電圧値、即ち２端子サイリスタ２１のブレークオーバー電圧に達する電圧値となるように、昇圧チョッパ回路５の出力電圧を上昇させる。
この制御により、充電抵抗１８及びダイオード１９を介して充放電コンデンサ２０に充電された充電電圧が、２端子サイリスタ２１のブレークオーバー電圧に達する毎に放電され、その電圧が昇圧トランス１６の１次巻線に間欠的に印加され、２次巻線に高電圧パルスが発生し、第１のスイッチング素子１１及び第２のスイッチング素子１２の動作による点灯周波数の矩形波電圧に重畳し、高圧放電灯１７に繰り返し印加される。
【００２９】
また、制御回路２２は、高圧放電灯１７の電圧値又は電流値に基づいて、高圧放電灯１７が点灯したか否かを判別する。
この高圧放電灯１７が点灯したか否かの判別は、例えば検出した高圧放電灯１７の電圧が予め設定された電圧値より低くなったときに、高圧放電灯１７が点灯したと判別する。
尚、これに代えて、検出した電流が予め設定された電流値よりも高くなったときに、高圧放電灯１７が点灯したと判別しても良い。
【００３０】
そして、制御回路２２は、高圧放電灯１７が点灯した後、充放電回路の充電電圧が２端子サイリスタ２１を非導通にさせる電圧値（ブレークオーバー電圧より低い電圧値）となるように、昇圧チョッパ回路５の出力電圧を低下させる。
この制御により、昇圧トランス１６の２次巻線に発生する高電圧パルスを停止させる。
【００３１】
このような放電灯始動時における昇圧チョッパ回路５の出力電圧の制御においては、昇圧チョッパ回路５の出力電圧は、２端子サイリスタ２１のブレークオーバー電圧のばらつき範囲を超える電圧値に設定する必要がある。このブレークオーバー電圧のばらつきが大きい場合は、昇圧チョッパ回路５の出力電圧の変動が大きくなり、高圧放電灯１７が点灯した際に高圧放電灯１７へ供給される電圧降下も大きくなる。
【００３２】
このため、高圧放電灯１７へ供給される電圧が急激に低下した場合は、制御回路２２による高圧放電灯１７の電力調整が間に合わずに、高圧放電灯１７が立ち消える可能性が大きくなる。
【００３３】
こうした昇圧チョッパ回路５の電圧降下に起因する、高圧放電灯１７の立ち消えの発生を減少させる動作について、次に説明する。
【００３４】
図２は実施の形態１に係る昇圧チョッパ回路の出力電圧波形を示す図である。
制御回路２２は、高圧放電灯１７が点灯した後、充電電圧が２端子サイリスタ２１を非導通にさせる電圧値となるように、昇圧チョッパ回路５の出力電圧を一定時間かけて低下させる。
例えば、図２に示すように、制御回路２２は、高圧放電灯１７の点灯を判別した後、昇圧チョッパ回路５の出力電圧を２端子サイリスタ２１が導通しない電圧値まで段階的に低下させる。
この昇圧チョッパ回路５の出力電圧を段階的に低下させる詳細動作について、次に説明する。
【００３５】
図３は実施の形態１に係る制御回路の動作を示すフローチャートである。
以下、図３の各ステップに基づいて説明する。
【００３６】
（Ｓ１０１）
制御回路２２が有する記憶装置には、予め、２端子サイリスタ２１が導通する電圧値から２端子サイリスタ２１が導通しない電圧値までを、数段階に分割した値を電圧の高い順番に格納される。
【００３７】
（Ｓ１０２）
制御回路２２は、高圧放電灯１７の電圧及び電流の少なくとも一方を検出する。
【００３８】
（Ｓ１０３）
制御回路２２は、高圧放電灯１７が点灯したか否かを判別する。
この判別は、高圧放電灯１７の電圧値が予め定められた値より低くなったとき、又は高圧放電灯１７の電流値が予め定められた値より高くなったとき、高圧放電灯１７が点灯したと判別する。
【００３９】
（Ｓ１０４）
制御回路２２は、記憶装置に格納された電圧値の情報を、格納された順に読み出す。つまり、数段階に分割した電圧値のうち電圧の高い順に読み出す。
【００４０】
（Ｓ１０５）
制御回路２２は、昇圧チョッパ回路５の出力電圧が、読み出した電圧値となるように、スイッチング素子７を高周波でオン・オフ制御する。
【００４１】
（Ｓ１０６）
制御回路２２は、一定時間が経過するまで、ステップＳ１０５で設定した出力電圧を維持する。
【００４２】
（Ｓ１０７）
制御回路２２は、記憶装置から読み出した電圧値が、最後に格納された電圧値であるか否かを判断する。
最後に格納された電圧値でない場合、ステップＳ１０４に戻り、次に格納された電圧値を読み出して、ステップＳ１０４〜Ｓ１０７を繰り返す。
一方、最後に格納された電圧値である場合、出力電圧を低下させる動作を終了する。
【００４３】
このような動作により、昇圧チョッパ回路５の出力電圧を、一定時間かけて段階的に低下させることができる。
【００４４】
以上のように本実施の形態においては、高圧放電灯１７が点灯した後、充電電圧が２端子サイリスタ２１を非導通にさせる電圧値となるように、昇圧チョッパ回路５の出力電圧を一定時間かけて段階的に低下させる。
このため昇圧チョッパ回路の出力電圧を低下させた場合でも、高圧放電灯１７へ供給される電圧が急激に低下するのを防止することができ、高圧放電灯１７への供給電力を緩やかに低下させることができる。
よって、高圧放電灯１７が立ち消える可能性（リスク）を低減することができる。
したがって、高圧放電灯１７の安定した点灯を継続することができる。
【００４５】
実施の形態２．
上記実施の形態１では、昇圧チョッパ回路５の出力電圧を段階的に低下させたが、本実施の形態２では、昇圧チョッパ回路５の出力電圧を緩やかに低下させる動作について説明する。
尚、本実施の形態における放電灯点灯装置の構成は、上記実施の形態１（図１）と同様であり、同一箇所には同一の符号を付する。
【００４６】
図４は実施の形態２に係る昇圧チョッパ回路の出力電圧波形を示す図である。
図４に示すように、本実施の形態２における制御回路２２は、高圧放電灯１７が点灯した後、充電電圧が２端子サイリスタ２１を非導通にさせる電圧値となるように、昇圧チョッパ回路５の出力電圧を一定時間かけて緩やかに低下させる。
この昇圧チョッパ回路５の出力電圧を緩やかに低下させる詳細動作について、次に説明する。
【００４７】
図５は実施の形態２に係る制御回路の動作を示すフローチャートである。
以下、図５の各ステップに基づいて説明する。
【００４８】
（Ｓ２０１）
制御回路２２が有する記憶装置には、予め、任意の係数の情報が格納される。
【００４９】
（Ｓ２０２）
制御回路２２は、高圧放電灯１７の電圧及び電流の少なくとも一方を検出する。
【００５０】
（Ｓ２０３）
制御回路２２は、高圧放電灯１７が点灯したか否かを判別する。
この判別は、高圧放電灯１７の電圧値が予め定められた値より低くなったとき、又は高圧放電灯１７の電流値が予め定められた値より高くなったとき、高圧放電灯１７が点灯したと判別する。
【００５１】
（Ｓ２０４）
制御回路２２は、記憶装置に格納された係数の情報を読み出す。
【００５２】
（Ｓ２０５）
制御回路２２は、電圧フィードバック制御の応答速度を遅くし、充電電圧が２端子サイリスタ２１を非導通にさせる電圧値となるように、昇圧チョッパ回路５の出力電圧を一定時間かけて低下させる。
即ち、昇圧チョッパ回路５の出力電圧を２端子サイリスタ２１が導通しない電圧値となるようにスイッチング素子７を高周波でオン・オフする制御において、格納した係数をオン時間又はオフ時間に演算して電圧フィードバック制御の応答速度（応答性）を遅くすることで、昇圧チョッパ回路５の出力電圧を２端子サイリスタ２１が導通しない電圧値まで緩やかに低下させる。
【００５３】
（Ｓ２０６）
制御回路２２は、昇圧チョッパ回路５の出力電圧を検出する。
【００５４】
（Ｓ２０７）
制御回路２２は、検出した昇圧チョッパ回路５の出力電圧が、２端子サイリスタ２１が導通しない電圧値まで低下したか否かを判別する。つまり、２端子サイリスタ２１のブレークオーバー電圧より低い電圧値となったか否かを判別する。
２端子サイリスタ２１が導通しない電圧値まで低下していない場合、ステップＳ２０５〜Ｓ２０７を繰り返す。
２端子サイリスタ２１が導通しない電圧値まで低下した場合、出力電圧を低下させる動作を終了する。
【００５５】
このような動作により、昇圧チョッパ回路５の出力電圧を、一定時間かけて緩やかに低下させることができる。
【００５６】
以上のように本実施の形態においては、高圧放電灯１７が点灯した後、電圧フィードバック制御の応答速度を遅くし、充電電圧が２端子サイリスタ２１を非導通にさせる電圧値となるように、昇圧チョッパ回路５の出力電圧を一定時間かけて低下させる。
このため昇圧チョッパ回路の出力電圧を低下させた場合でも、高圧放電灯１７へ供給される電圧が急激に低下するのを防止することができ、高圧放電灯１７への供給電力を緩やかに低下させることができる。
よって、高圧放電灯１７が立ち消える可能性（リスク）を低減することができる。
したがって、高圧放電灯１７の安定した点灯を継続することができる。
【００５７】
実施の形態３．
上記実施の形態１〜２では、昇圧チョッパ回路５の電圧降下に起因する、高圧放電灯１７の立ち消え対策として、昇圧チョッパ回路５の出力電圧を一定時間かけて低下させる手段を説明した。本実施の形態３では、昇圧チョッパ回路５の出力電圧を低下させる際の高圧放電灯１７に供給される交流電力の定電力フィードバック制御について説明する。
尚、本実施の形態における放電灯点灯装置の構成は、上記実施の形態１（図１）と同様であり、同一箇所には同一の符号を付する。
【００５８】
図６は実施の形態３に係る高圧放電灯の電圧と電流の関係を示す図である。
まず、高圧放電灯１７に供給される交流電力の定電力フィードバック制御について、図６を用いて説明する。
【００５９】
図６に示すように、本実施の形態３における制御回路２２は、高圧放電灯１７の電圧値に応じて、高圧放電灯１７の電流値が目標とする電流値となるように、インバータ回路のスイッチング素子１１及び１２を制御する。
このような制御を行うことで、高圧放電灯１７に供給される交流電力の定電力フィードバック制御を実施している。
以下、このような定電力フィードバック制御を「通常の定電力フィードバック制御」という。
【００６０】
しかし、高圧放電灯１７が点灯した後に高圧放電灯１７へ供給される電圧が低下する際は、制御回路２２による高圧放電灯１７の電力調整が間に合わずに、高圧放電灯１７が立ち消える可能性が大きくなる。
【００６１】
こうした電力調整の遅延に起因する高圧放電灯１７の立ち消えの発生を減少させる動作について、次に説明する。
【００６２】
制御回路２２は、高圧放電灯１７が点灯した後、上記実施の形態１又は２と同様の動作により、昇圧チョッパ回路５の出力電圧を低下させる。
また、制御回路２２は、高圧放電灯１７へ供給される電圧が低下する際は、交流電力の定電力フィードバック制御に用いる電流の目標値を、通常の定電力フィードバック制御時よりも高く設定する。
この交流電力の定電力フィードバック制御の詳細動作について、次に説明する。
【００６３】
図７は実施の形態３に係る制御回路の動作を示すフローチャートである。
以下、図７の各ステップに基づいて説明する。
【００６４】
（Ｓ３０１）
制御回路２２が有する記憶装置には、予め、任意の係数（１以上）の情報が格納される。
【００６５】
（Ｓ３０２）
制御回路２２は、高圧放電灯１７の電圧及び電流の少なくとも一方を検出する。
【００６６】
（Ｓ３０３）
制御回路２２は、高圧放電灯１７が点灯したか否かを判別する。
この判別は、高圧放電灯１７の電圧値が予め定められた値より低くなったとき、又は高圧放電灯１７の電流値が予め定められた値より高くなったとき、高圧放電灯１７が点灯したと判別する。
【００６７】
（Ｓ３０４）
制御回路２２は、記憶装置に格納された係数の情報を読み出す。
【００６８】
（Ｓ３０５）
制御回路２２は、通常の定電力フィードバック制御に用いる電流の目標値に、格納した係数を演算することで、定電力フィードバック制御に用いる電流の目標値を、通常の定電力フィードバック制御時よりも高く設定する。
【００６９】
（Ｓ３０６）
制御回路２２は、昇圧チョッパ回路５の出力電圧を検出する。
【００７０】
（Ｓ３０７）
制御回路２２は、検出した昇圧チョッパ回路５の出力電圧が、２端子サイリスタ２１が導通しない電圧値まで低下したか否かを判別する。つまり、２端子サイリスタ２１のブレークオーバー電圧より低い電圧値となったか否かを判別する。
２端子サイリスタ２１が導通しない電圧値まで低下していない場合、ステップＳ３０５〜Ｓ３０７を繰り返す。
【００７１】
（Ｓ３０８）
制御回路２２は、２端子サイリスタ２１が導通しない電圧値まで低下した場合は、電流の目標値を、通常の定電力フィードバック制御に用いる電流の目標値とする。
【００７２】
このような動作により、高圧放電灯１７へ供給される電圧が低下する際に、交流電力の定電力フィードバック制御に用いる電流の目標値を、通常の定電力フィードバック制御時よりも高く設定することができる。
【００７３】
以上のように本実施の形態においては、高圧放電灯１７が点灯した後、高圧放電灯１７へ供給される電圧が低下する際に、交流電力の定電力フィードバック制御に用いる電流の目標値を、通常の定電力フィードバック制御時よりも高く設定する。
このため高圧放電灯１７へ供給される電圧が低下した場合でも、高圧放電灯１７へ流れる電流を多くすることができる。
よって、高圧放電灯１７が立ち消える可能性（リスク）を低減することができる。
したがって、高圧放電灯１７の安定した点灯を継続することができる。
【００７４】
実施の形態４．
図８は実施の形態４に係る照明器具の構成を示す図である。
図８に示すように、本実施の形態の照明器具は、上記実施の形態１〜３の何れかの放電灯点灯装置１００と、この放電灯点灯装置１００の負荷回路に取り付けられる高圧放電灯１７と、リフレクター２００とを備えている。
【００７５】
このような構成により、本実施の形態における照明器具は、放電灯点灯装置１００により、高圧放電灯１７が点灯した後、上記実施の形態１〜３の何れかの動作を行う。
【００７６】
以上のように本実施の形態においては、照明器具は、上記実施の形態１〜３の何れかの放電灯点灯装置を備える。これにより、高圧放電灯１７の安定した点灯を継続することができる。
【符号の説明】
【００７７】
１  直流電源回路、２  交流電源、３  整流回路、４  コンデンサ、５  昇圧チョッパ回路、６  インダクタ、７  スイッチング素子、８  ダイオード、９  第１の電解コンデンサ、１０  第２の電解コンデンサ、１１  第１のスイッチング素子、１２  第２のスイッチング素子、１３  インダクタ、１４  コンデンサ、１５  コンデンサ、１６  昇圧トランス、１７  高圧放電灯、１８  充電抵抗、１９  ダイオード、２０  充放電コンデンサ、２１  ２端子サイリスタ、２２  制御回路、２３  スイッチ、２４  第２の充電抵抗、１００  放電灯点灯装置、２００  リフレクター。
【図１】
2010165631.tif 000003
【図２】
2010165631.tif 000004
【図３】
2010165631.tif 000005
【図４】
2010165631.tif 000006
【図５】
2010165631.tif 000007
【図６】
2010165631.tif 000008
【図７】
2010165631.tif 000009
【図８】
2010165631.tif 000010